(57)【特許請求の範囲】
【請求項１】
一面開放の箱体と、この箱体の少なくとも三面に複数個の配線挿入用の孔を形成するための切溝と、前記箱体の一面開放の縁に形成した鍔片と、この鍔片に取付ける側板と、前記箱体及び側板を塗布するペンキ等の塗膜とで構成した組付け式端子箱であって、
前記箱体を、半截底板部及び立上り側板部を備えた対の本体Ｌ形側板と、対の本体側板とで構成し、
前記本体Ｌ形側板には、前記立上り側板部において前記半截底板部と接する辺に対向する一辺から、前記立上り側板部に垂直で且つ前記半截底板部と平行になるように突出する鍔片を設けると共に、前記本体側板には、前記本体側板の一辺から、前記本体側板に垂直となるように突出する鍔片を設け、
前記対の本体Ｌ形側板のそれぞれの前記半截底板部が、互いに接続されて前記箱体の底面となり、前記対の本体Ｌ形側板の前記立上り側板部が、前記箱体の四側面の内の対向する二側面となり、前記対の本体側板が前記箱体の四側面の内の残る二側面となり、前記本体Ｌ形側板及び前記本体側板に設けた鍔片が、前記箱体の鍔片となるように、前記対の本体Ｌ形側板と前記対の本体側板とを溶接で一体化して一面開放の箱体を形成し、
この箱体の鍔片に側板を取付けて前記一面開放を塞ぐ構成とした組付け式端子箱。
【発明の詳細な説明】
【０００１】
【産業上の利用分野】
本発明は、組付け式端子箱に関する。
【０００２】
【従来の技術】
従来、この種の端子箱に関する技術文献としては、次に挙げる文献（１）、（２）が挙げられ。以下、各文献（１）、（２）の公開番号、内容等を説明する。
【０００３】
文献（１）は、特開平９−２９４５１１号の分電盤の天井取り付けによる配線方法とその配線方法に用いられる天井カセット型分電盤がある。内容は、天井カセット型分電盤のケースの周囲に複数の電線引き入れ引き出し用の抜き取り自在なノックアウト孔を設けて、その孔から幹線を導入して接続できるようにする。このように接続した分電盤から直接各負荷へ配線を行うことにより、壁の補強等の壁体工事を必要とせず、配線の引き入れ、引き出しが容易に行えること、又はレイアウトの制約や配管配線のルート等に制約を受けず、配線工事が容易にできる特徴がある。文献（２）は、特開２０００−２１７２２７の電気接続箱である。内容は、略垂直に配置された配線基板と基板コネクタ、アライメント補正板で形成した配線基板が搭載された電気接続箱であって、配線基板と基板コネクタ及びアライメント補正板に、端子が挿入される複数の孔を開設した構成であり、配線基板に組付けた基板コネクタの端子間の電流リークを防ぐことができる電気接続箱を提供する。
【０００４】
【発明が解決しようとする課題】
前記文献（１）は、発明の詳細な説明において、［００１９］で、ケースの周囲に配線の引き入れ・引き出し用の孔が開設されている構成であって、３６０度の方向に配線が行えることが開示されている。しかし、この発明は、孔が切溝構造でないので、孔の開放が容易に行えないこと、またこの孔は、開放式であり、塵、虫等の進入と、この進入に基づくトラブルの発生が考えられること、又はケースは、一体構造となっているので、大型の配電盤には適するが、本発明が意図する小型等の端子箱には不向きであること、等の課題が考えられる。
【０００５】
【課題を解決するための手段】
請求項１の発明は、配線（コート゛）の引き入れ・引き出し用の孔を、少なくとも三方向に開設して、広範囲に配線が行えること、及び配線の負荷の軽減、トラブルの解消、等を図ること、又は孔を、必要とする箇所に、手動工具を利用して、簡単かつ容易に開設できること、及び塵、害虫等の虫の進入防止を図ること、等を意図する。請求項１は、一面開放の箱体と、この箱体の少なくとも三面に複数個の配線挿入用の孔を形成するための切溝と、前記箱体の開放一面に折曲げ形成した鍔片と、この鍔片に取付ける側板と、前記箱体及び側板を塗布するペンキ等の塗膜とで構成した端子箱であって、前記塗膜で切溝を被覆するとともに、この切溝の切離片を、手動工具で切り離し、当該切溝内の切離片を前記箱体より切離して前記配線挿入用の孔を形成可能とした組付け式端子箱である。請求項１の発明は、箱体の組立てを確実かつ簡易に行うこと、又は箱体を、溶接とプレス加工との併用で確実かつ簡易に行うこと、等を意図する。
【０００６】
請求項１は、一面開放の箱体と、この箱体の少なくとも三面に複数個の配線挿入用の孔を形成するための切溝と、前記箱体の一面開放の縁に形成した鍔片と、この鍔片に取付ける側板と、前記箱体及び側板を塗布するペンキ等の塗膜とで構成した組付け式端子箱であって、
前記箱体を、半截底板部及び立上り側板部を備えた対の本体Ｌ形側板と、対の本体側板とで構成し、
前記本体Ｌ形側板には、前記立上り側板部において前記半截底板部と接する辺に対向する一辺から、前記立上り側板部に垂直で且つ前記半截底板部と平行になるように突出する鍔片を設けると共に、前記本体側板には、前記本体側板の一辺から、前記本体側板に垂直となるように突出する鍔片を設け、
前記対の本体Ｌ形側板のそれぞれの前記半截底板部が、互いに接続されて前記箱体の底面となり、前記対の本体Ｌ形側板の前記立上り側板部が、前記箱体の四側面の内の対向する二側面となり、前記対の本体側板が前記箱体の四側面の内の残る二側面となり、前記本体Ｌ形側板及び前記本体側板に設けた鍔片が、前記箱体の鍔片となるように、前記対の本体Ｌ形側板と前記対の本体側板とを溶接で一体化して一面開放の箱体を形成し、
この箱体の鍔片に側板を取付けて前記一面開放を塞ぐ構成とした組付け式端子箱である。
【０００７】
【発明の実施の形態】
本発明の端子箱は、半截底板部（側板を含む）と立上り側板部（側板を含む）を備えた対の本体Ｌ形側板の凹凸片を嵌合した状態で、この嵌合箇所を溶接する。そして、この対の本体Ｌ形側板の側面に、それぞれ対の本体側板を添接しつつ、両者の凹凸片を嵌合する。この嵌合状態で、嵌合箇所を溶接する。以上のような操作で、一面開放の箱体が形成される。この箱体の鍔片に側板をネジ止め等の取付け方法を利用して端子箱を形成する。この組立て後にペンキを塗布又は噴霧、霧化等の手段で塗装し、箱体の切溝を塗膜で被覆する。この被覆で、切溝を隠蔽し、塵、虫の進入防止と、体裁を確保する。
【０００８】
この端子箱は、底部（一例）を釘止め、溶接、接着等の手段を利用して、壁面、柱、取付手段に固止する。この状態では、少なくとも三方向に略０．２ｍｍ幅の切溝が形成されているので、この切溝の切離片をハンマー及び／又はドライバーを利用して切離す。この切離片の寸法は、略１ｍｍ程度であり、簡易かつ瞬時に切離可能である。この操作により、略φ２２ｍｍの孔が形成されるので、この孔に接続器具を利用して配線を挿入する。尚、この孔には盲蓋の設置も可能であり、多用途に利用できる。
【０００９】
【実施例】
以下、本発明の一実施例を説明する。１は端子箱であり、この端子箱１は、箱体２と、側板３とで構成される。この箱体２は、半截底板部４と立上り側板部５及び鍔片６を備えた本体Ｌ形側板７と、この本体Ｌ形側板７と対になる半截底板部４ａと立上り側板部５ａ及び鍔片６ａを備えた本体Ｌ形側板７ａと、この本体Ｌ形側板７及び本体Ｌ形側板７ａの自由端に設けた鍔片８、８ａを備えた本体側板９、９ａとで構成される。
【００１０】
前記本体Ｌ形側板７の半截底板部４の先端に、例えば、嵌合用の凹凸片４０、４１を設け、この凹凸片４０、４１には、本体Ｌ形側板７ａの半截底板部４ａの先端には嵌合用の凸凹片４１ａ、４０ａが嵌合する。この嵌合と溶接（必要により溶接する）を利用して、当該本体Ｌ形側板７と本体Ｌ形側板７ａとを組立てる。またこの本体Ｌ形側板７と本体Ｌ形側板７ａ（以下、本体Ｌ形側板７、７ａとする）の立上り側板部５、５ａの端に、例えば、嵌合用の凹凸片５０、５０ａ、５１、５１ａを設け、この凹凸片５０、５０ａ、５１、５１ａには、本体側板９、９ａに設けた凸凹片９１、９１ａ、９０、９０ａが嵌合する。この嵌合を利用して、本体Ｌ形側板７、７ａと本体側板９、９ａとの結合が図れることと、確実かつ簡易な組付けが行える。
【００１１】
また本体Ｌ形側板７、７ａの立上り側板部５、５ａ、又は本体側板９、９ａには、配線Ａ挿入用の多数の孔１０、１０、１０等（１０とする）を開設するための切溝１１、１１、１１等（１１とする）が設けられている。この切溝１１は、箱体２を塗布するペンキ等の塗膜１２を利用して被覆（隠蔽）する。
【００１２】
尚、箱体２の開放２００は、前記側板３で塞ぐ構造である。この側板１３は本体Ｌ形側板７、７ａの鍔片６、６ａ、又は本体側板９、９ａの鍔片８、８ａに止めネジ１４等の取付け手段を利用して設けられる。この例では、止めネジ１４を利用して着脱自在に設けられている。
【００１３】
図中Ｂは接続器具、Ｃは盲蓋を示す。
【００１４】
【発明の効果】
請求項１の発明は、一面開放の箱体と、この箱体の少なくとも三面に複数個の配線挿入用の孔を形成するための切溝と、前記箱体の一面開放の縁に形成した鍔片と、この鍔片に取付ける側板と、前記箱体及び側板を塗布するペンキ等の塗膜とで構成した組付け式端子箱であって、
前記箱体を、半截底板部及び立上り側板部を備えた対の本体Ｌ形側板と、対の本体側板とで構成し、
前記本体Ｌ形側板には、前記立上り側板部において前記半截底板部と接する辺に対向する一辺から、前記立上り側板部に垂直で且つ前記半截底板部と平行になるように突出する鍔片を設けると共に、前記本体側板には、前記本体側板の一辺から、前記本体側板に垂直となるように突出する鍔片を設け、
前記対の本体Ｌ形側板のそれぞれの前記半截底板部が、互いに接続されて前記箱体の底面となり、前記対の本体Ｌ形側板の前記立上り側板部が、前記箱体の四側面の内の対向する二側面となり、前記対の本体側板が前記箱体の四側面の内の残る二側面となり、前記本体Ｌ形側板及び前記本体側板に設けた鍔片が、前記箱体の鍔片となるように、前記対の本体Ｌ形側板と前記対の本体側板とを溶接で一体化して一面開放の箱体を形成し、
この箱体の鍔片に側板を取付けて前記一面開放を塞ぐ構成とした組付け式端子箱である。従って、配線の引き入れ・引き出し用の孔を、少なくとも三方向に開設して、広範囲に配線が行えること、及び配線の負荷の軽減、トラブルの解消、等を図ること、又は孔を、必要とする箇所に、手動工具を利用して、簡単かつ容易に開設できること、及び塵、虫等の進入防止を図ること、等の特徴がある。
【００１５】
請求項１の発明は、箱体を、半截底板部と立上り側板部を備えた対の本体Ｌ形側板と、対の本体側板と、本体Ｌ形側板、本体側板に設けた鍔片とで構成し、本体Ｌ形側板と本体側板を溶接で一体化して一面開放の箱体を形成し、箱体の鍔片に側板を取付ける構成とした組付け式端子箱である。従って、箱体の組立てを確実かつ簡易に行えること、又は箱体を、溶接とプレス加工との併用で確実かつ簡易に行えること、等の特徴がある。
【００１６】
【図面の簡単な説明】
【図１】端子箱を分解して示す斜視図である。
【図２】箱体と側板との関係を説明する一部欠截の斜視図である。
【図３】端子箱の示す斜視図である。
【図４】切溝を拡大して示す平面図である。
【図５】端子箱の使用状態を説明する縮尺模式図である。
【符号の説明】
１  端子箱
２  箱体
２００  開放
３  側板
４  半截底板部
４ａ  半截底板部
４０  凹片
４０ａ  凹片
４１  凸片
４１ａ  凸片
５  立上り側板部
５ａ  立上り側板部
５０  凹片
５０ａ  凹片
５１  凸片
５１ａ  凸片
６  鍔片
６ａ  鍔片
７  本体Ｌ形側板
７ａ  本体Ｌ形側板
８  鍔片
８ａ  鍔片
９  本体側板
９ａ  本体側板
９０  凹片
９０ａ  凹片
９１  凸片
９１ａ  凸片
１０  孔
１１  切溝
１２  塗膜
１４  止めネジ
Ａ  配線
Ｂ  接続器具
Ｃ  盲蓋
【図１】
0004270536.tif 000002
【図２】
0004270536.tif 000003
【図３】
0004270536.tif 000004
【図４】
0004270536.tif 000005
【図５】
0004270536.tif 000006